(57)【要約】      （修正有）【課題】比較的簡単な構成で、予め組上げておいて畳んで狭いスペースに収納保管ができ、必要なときにすぐ立体化して用いることができる仕切り紙箱の提供。【解決手段】平面に展開された長方形の紙板であって左右対称に構成され、左右の端部から相互間の折り目を介して、順に、糊代１１、２３と５枚の側板１２〜１６、１８〜２２と左右の端部から５番目の側版１６、１８の間に位置する底板１７とが連結され、折り目は、糊代１１、２３と左右の端からそれぞれ１番目の側板１２、２２の間の折り目をのぞいてすべて外側に折り込まれ、紙板を平面的な紙板状態から、立体的な箱形を形成するために各側板を隣接する部分に対して直角になるように起こしたとき、４角柱状の収納用空間が左右にそれぞれ２つずつ形成される。【選択図】図１
2009126522.tif 000002
【特許請求の範囲】
【請求項１】
平面に展開されたときは長方形の紙板であって左右対称に構成され、左右の端部から相互間の折り目を介して、順に、糊代と５枚の側板と左右の端部から５番目の前記側版の間に位置する底板とが連結され、
前記折り目は、前記糊代と左右の端からそれぞれ１番目の前記側板の間の折り目をのぞいてすべて外側に折り込まれ、
前記紙板を平面的な紙板状態から、立体的な箱形を形成するために各前記側板を隣接する部分に対して直角になるように起こしたとき、４角柱状の収納用空間が左右にそれぞれ２つずつ形成されることを特徴とする仕切り紙箱。
【請求項２】
左右の端部から４番目の前記側板の３番目の前記側板との間の折り目側に、３番目の前記側板の側に突出した連結用タブが設けられていることを特徴とする請求項１に記載の仕切り紙箱。
【請求項３】
前記連結用タブは、左右の端部から４番目の前記側板の３番目の前記側板への切込みによって形成され、この切込みによって３番目の前記側板に生じた切込み孔は、立体的な箱形が形成されたとき前記連結用タブ挿入孔となることを特徴とする請求項２に記載の仕切り紙箱。
【請求項４】
前記糊代は左右の端部から４番目の前記側板の裏面に接着され、左右の端部から２番目の前記側板の表面は前記底板の裏面と接着されることを特徴とする請求項１ないし請求項３のいずれか１項に記載の仕切り紙箱。
【発明の詳細な説明】
【技術分野】
【０００１】
本発明は、アンプルやバイアルなどの円筒状の製品を複数収納する組み立て折畳みの容易な仕切り紙箱に関する。
【背景技術】
【０００２】
従来アンプルやバイアルなどの円筒状の製品を収納するためには四角形の箱の収納部の内部を仕切板によって区切って収納していたが構造的に複雑であり、箱と仕切りとを別々に保管せねばならず、保管スペースが大きくなるという問題があった。
このような問題を解決するため、折りたたんだ状態で保管でき、仕切板を別体で形成する必要が無い紙箱の例が報告されている（特許文献１参照）。
しかしながら、この例は構造が複雑で組上げに時間がかかるという問題がある。
【特許文献１】特開平１１−３１０２２３号公報
【発明の開示】
【発明が解決しようとする課題】
【０００３】
以上に述べたように、従来のアンプルやバイアルなどの円筒状の小物製品を収納する紙箱では、保管スペースが大きくなるという問題や構成が複雑であって組上げに時間がかかるというような問題があった。
【０００４】
本発明は、この様な問題を解決して、比較的簡単な構成で、予め組上げておいて畳んで狭いスペースに収納保管ができ、必要なときにすぐ立体化して用いることができる仕切り紙箱の提供を課題とする。
【課題を解決するための手段】
【０００５】
上記課題を解決するため、本発明の仕切り紙箱は、平面に展開されたときは長方形の紙板であって左右対称に構成され、左右の端部から相互間の折り目を介して、順に、糊代と５枚の側板と左右の端部から５番目の前記側版の間に位置する底板とが連結され、前記折り目は、前記糊代と左右の端からそれぞれ１番目の前記側板の間の折り目をのぞいてすべて外側に折り込まれ、前記紙板を平面的な紙板状態から、立体的な箱形を形成するために各前記側板を隣接する部分に対して直角になるように起こしたとき、４角柱状の収納用空間が左右にそれぞれ２つずつ形成されることを特徴とする。
【０００６】
ここで、左右の端部から４番目の前記側板の３番目の前記側板との間の折り目側に、３番目の前記側板と側に突出した連結用タブが設けられていることを特徴とする。
【０００７】
この前記連結用タブは、左右の端部から４番目の前記側板の３番目の前記側板への切込みによって形成され、この切込みによって３番目の前記側板に生じた切込み孔は、立体的な箱形が形成されたとき前記連結用タブ挿入孔となることを特徴とする。
【０００８】
また、前記糊代は左右の端部から４番目の前記側板の裏面に接着され、左右の端部から２番目の前記側板の表面は前記底板裏面と接着されることを特徴とする。
【発明の効果】
【０００９】
以上のように、本発明に係る仕切り紙箱によると、予め糊付けして組上げたものを畳んで保管することができ、収納のスペースが小さくて済み、必要なときにすぐ立体化して用いることができる１枚の紙板から構成される仕切り紙箱を提供することができる。
【発明を実施するための最良の形態】
【００１０】
以下、図面を参照しつつ本発明に係る仕切り紙箱の実施形態を詳細に説明する。なお、以下の説明は発明をより深く理解するためのものであって、特許請求の範囲を限定するためのものではない。
【００１１】
図１は、本発明に係る仕切り紙箱の一実施形態の展開図である。
【００１２】
図１において、この実施形態の紙箱１００は、左糊代１１、左第１側板１２、左第２側板１３、左第３側板１４、左第４側板１５、左第５側板１６、底板１７、右第５側板１８、右第４側板１９、右第３側板２０、右第２側板２１、右第１側板２２および右糊代２３から構成されている。
【００１３】
展開図は、左右完全に対称なので、左糊代１１の幅は右糊代２３の幅と、左第１側板１２の幅は右第１側板２２の幅と、左第２側板１３の幅は右第２側板２１の幅と、左第３側板１４の幅は右第３側板２０の幅と、左第４側板１５の幅は右第４側板１９の幅と、左第５側板１６の幅は右第５側板１８の幅と、それぞれ等しくなっている。
【００１４】
左右の第１側板１２、２２の幅、左右第３側板１４、２０の幅、左右第５側板１６、１８の幅は、組みあがったとき本発明に係る仕切り紙箱１００の高さに当たるので、ほぼ同程度の幅であるが、紙厚の分だけ、左右第５側板１６、１８の幅が左右第３側板１４、２０の幅よりも長く、左右第３側板１４、２０の幅が左右第１側板１２、２２の幅よりも長い。
また、左第４側板１５と右第４側板１９とで、組み上がったとき本発明に係る仕切り紙箱１００の上板を構成するので、左第４側板１５の幅と右第４側板１９の幅の和は底板１７の幅から紙厚２枚分の厚みを引いたものと同じ長さとなる。
【００１５】
図１に示すように、左第４側板１５の左第３側板１４との間の折り目側に、左第３側板１４側に突出した２つの連結用タブ３１、３２が設けられている。同様に、右第４側板１９の右第３側板２０との間の折り目側に、右第３側板２０側に突出した２つの連結用タブ３３、３４が設けられている。
図１からわかるように、これらの連結用タブ３１〜３４は、第４側板１５、１９からの第３側板１４、２０への切り込みによって構成されている。切り込みによって生じた第３側板１４、２０側の切り込み孔は、連結用タブの挿入孔として用いられる。
【００１６】
この展開図の構成で、一点鎖線で示される左右の糊代１１、２３と左右の第１側板１２、２２の間の折り目を内折に、それ以外の点線で示される折り目を外折にして、左右の糊代１１、２３をそれぞれ左右第４側板１５、１９の裏面（図１の図紙面の裏面）に貼り付け、さらに左右第２側板１３、２１の表面（図１の図紙面の表面）を、底板１７の裏面にそれぞれ貼り付ける。
そうして、各側板を隣の側板や底板に対して垂直に立てて全体を立体的に組み立上げ、連結用タブ３１〜３４を連結用タブの挿入孔に挿入して係止した状態の斜視図を図２に示す。
このようにすると、図２に示すように、左第４側板１５と右第４側板１９に設けられている開口３５、３６によって商品収納空間を形成することができる。連結用タブ３１〜３４による係止部があるため、立体化された仕切り紙箱１００はこの状態で安定しており、立体化された箱状を保っている。そして、４角柱状の空間Ａ，Ｂ，Ｃ，Ｄが左右に１対ずつ構成され、これらの空間Ａ，Ｂ，Ｃ，Ｄが商品へのクッションの役割を果たすことができる。
【００１７】
このように組み立てられた仕切り紙箱１００を保管する場合には、仕切り紙箱１００を中央から左右に押し開くようにして、連結用タブ３１〜３４による係止状態を解除して、畳み込む。この畳み込んだ状態の斜視図を図３に示す。
このように畳み込むことによって、本発明の仕切り紙箱１００を糊付けした状態で、紙厚３枚分の薄さにすることができるので、収納時にほとんどスペースを取らず、何枚も重ねて収納することができる。
糊付けした状態で収納されているので、図３の収納状態から図２の組み立て状態にするのは容易であり、時間も手間もかからない。
【００１８】
以上、本発明の実施例について説明したが、本発明は上記実施例に限定されるものではなく、本発明の要旨の範囲内において、適宜変形実施が可能であることは言うまでもない。
例えば、以上の説明では、空間Ａ，Ｂ，Ｃ，Ｄの大きさを上記の実施形態と異ならせても良い。
【産業上の利用可能性】
【００１９】
本発明は、以上に述べたように、簡単な構成で１枚の紙からアンプルやバイアルなどの円筒状の製品を複数収納する組み立てが容易で保管の簡単な仕切紙箱を実現したので、医薬品などの収納紙箱として広く利用することができ、特に医薬品の業界分野で広く利用される可能性を有している。
【図面の簡単な説明】
【００２０】
【図１】本発明の仕切り紙箱の展開図である。
【図２】図１に示す本発明の仕切り紙箱の組立時の斜視図である。
【図３】図１に示す本発明の仕切り紙箱の折り畳み時の斜視図である。
【符号の説明】
【００２１】
１１  左糊代
１２  左第１側板
１３  左第２側板
１４  左第３側板
１５  左第４側板
１６  左第５側板
１７  底板
１８  右第５側板
１９  右第４側板
２０  右第３側板
２１  右第２側板
２２  右第１側板
２３  右糊代
３１〜３４  連結用タブ
３５、３６  開口
【図１】
2009126522.tif 000003
【図２】
2009126522.tif 000004
【図３】
2009126522.tif 000005